(57)【要約】【課題】ブロック玩具用回転磁石及び固定ピンを開示する。本発明の目的は、生産費用が節減され、回転磁石と固定ピンがブロックに容易に設置され、ブロックの間で適切な引力が発生するようになった構造を提供する。【解決手段】固定ピン（１１）はブロック（１）の嵌合孔（２）に締まり嵌めで嵌合される程度の直径を持つ接合板（１２）と回転磁石（１４）の高さより高いピン（１３）とを含んでなる。回転磁石（１４）は左右に区分されたＮ極及びＳ極を持つ。回転磁石（１４）の中心にはピン（１３）が挿入される孔（１５）が形成されている。【選択図】図３
2010511471.tif 000002
【特許請求の範囲】
【請求項１】
永久磁石によって接合するブロック玩具において、
固定ピン（１１）はブロック（１）の嵌合孔（２）に締まり嵌めで嵌合される程度の直径を持つ接合板（１２）と回転磁石（１４）の高さより高いピン（１３）とを含んでなり、回転磁石（１４）は左右に区分されたＮ極及びＳ極を持ち、中心にはピン（１３）が挿入される孔（１５）が形成されたことを特徴とする、ブロック玩具用回転磁石及び固定ピン。
【請求項２】
固定ピン（１１）の接合板（１２）には、工具が差し込まれる工具挿入溝（１８）と、前記ピン（１３）に形成された雄ネジ部（１６）とが形成されたことを特徴とする、請求項１に記載のブロック玩具用回転磁石及び固定ピン。
【請求項３】
ピン（１３）の端部にフック（１７）が形成されたことを特徴とする、請求項１に記載のブロック玩具用回転磁石及び固定ピン。
【発明の詳細な説明】
【技術分野】
【０００１】
本発明は磁力によってブロックを接合して多様な形状の構造物を形成するブロック玩具用回転磁石及び固定ピンに係り、従来のブロック玩具の部品として永久磁石及びホルダーを使用したものに比べ、生産費用が低く、容易に設置が可能であり、引力を発生させることが容易であるブロック玩具用回転磁石及び固定ピンに関する。
【背景技術】
【０００２】
磁石は磁力を発生させる。この磁力は、二つの磁石が互いに近づくとき、相異なる極（Ｎ極とＳ極）の間には引力が作用して互いに引き付け合い、同一極（Ｎ極とＮ極またはＳ極とＳ極）の間には斥力が作用して互いに押し離されることになる。
【０００３】
このような磁力の原理を利用したブロック玩具は、図６及び図７に示すように、金属材のホルダー２１内に永久磁石２０を内蔵し、このホルダー２１を、木材や合成樹脂材のブロック１に一定距離を置いて形成された嵌合孔２に挿入することで、ブロック１とブロック１が相互間の引力によって接合するように構成されている。
【０００４】
このようなブロック玩具の構成品であるブロック１は、永久磁石２０で発生する引力によってブロック１とブロック１とを互いに接合して連結するか、又は、積み上げることができ、これにより多様な構造物を作ることができる。これにより、このブロック玩具は、子供達の創意力と教育効果を高めることができる。
【０００５】
このようなブロック１に使用される永久磁石２０とホルダー２１は、図６に示すように、永久磁石２０をホルダー２１内に内蔵し、ブロック１の嵌合孔２にホルダー２１を締り嵌めで嵌合して構成されている。
【０００６】
しかし、このようなブロック１に嵌合されたホルダー２１は、反復的な使用でホルダー２１がブロック１から離脱する問題がある。また、ブロック１同士を接合するとき、永久磁石２０が互いの間に斥力を発生させるような向きに配置されている場合がある。このような場合、ブロック１を移動させずに互いに接合させるためには、一方の磁石２０が他の磁石に対して裏返しになるか、又は、回転して引力を発生させなければならない。
【０００７】
しかし、ホルダー２１内の永久磁石がホルダー２１の側面に付着している場合には、永久磁石の間で斥力が発生しても、永久磁石の位置が変わらず、引力が発生しないため、ブロック１とブロック１が互いに接合されない場合が発生する問題がある。
【発明の概要】
【発明が解決しようとする課題】
【０００８】
したがって、本発明は前記のような問題点に鑑みてなされたもので、従来のホルダー（２１）に代わりながらも、組立てが容易であり、ブロック（１）から離脱しにくく、組立ての容易な固定ピン（１１）を構成し、この固定ピン（１１）に回転可能に嵌合される回転磁石（１４）を構成することで、固定ピン（１１）に回転磁石（１４）を嵌合し、固定ピン（１１）をブロック（１）の嵌合孔（２）に容易に挿入することができるように構成したブロック玩具用固定ピン（１１）及び回転磁石（１４）を提供することにその目的がある。
【課題を解決するための手段】
【０００９】
前記目的を達成するために、本発明は、永久磁石によって接合するブロック玩具であって、固定ピン（１１）はブロック（１）の嵌合孔（２）に締まり嵌めで嵌合される程度の直径を持つ接合板（１２）と回転磁石（１４）の高さより高いピン（１３）とを含んでなり、回転磁石（１４）は左右に区分されたＮ極及びＳ極を持ち、中心にはピン（１３）が挿入される孔（１５）が形成される、ブロック玩具用回転磁石及び固定ピンを提供する。
【００１０】
好ましくは、固定ピン（１１）の接合板（１２）には、工具が差し込まれる工具挿入溝（１８）と、前記ピン（１３）に形成された雄ネジ部（１６）とが形成されることができる。
【００１１】
また、ピン（１３）の端部にフック（１７）が形成されることができる。
【発明の効果】
【００１２】
本発明のブロック玩具用固定ピン（１１）及び回転磁石（１４）は、従来のブロック玩具の部品として永久磁石（２０）とホルダー（２１）を使用したものとは異なり、堅固にブロック（１）に取り付けたり簡便に分離したりすることができる。したがって、生産性が高くて回転磁石（１４）の入れ替えが容易な利点がある。
【００１３】
また、固定ピン（１１）のピン（１３）に嵌合された回転磁石（１４）はもとの場所で左右に回転するので、引力と斥力が確実に発生してブロック（１）とブロック（１）の間の接合が容易であり、従来の永久磁石を利用したブロック玩具より製品競争力が高い利点がある。
【図面の簡単な説明】
【００１４】
【図１】本発明の一実施例を示す斜視図
【図２】本発明のさらに他の実施例を示す斜視図
【図３】本発明をブロックに付着する状態を示す斜視図
【図４】ブロックに付着された本発明の回転磁石が回転する使用状態を示す断面図
【図５】本発明の固定ピンの多様な形態を示す断面図
【図６】従来のブロック玩具用永久磁石及びホルダーを示す斜視図
【図７】従来のブロック玩具の一実施例を示す斜視図
【発明を実施するための形態】
【００１５】
以下、本発明のブロック玩具用固定ピン及び回転磁石の実施例を図１に基づいて詳細に説明する。
【００１６】
固定ピン１１は、ブロック１の嵌合孔２に締まり嵌めで押し込まれる程度の直径を持つ接合板１２と、回転磁石１４の高さより高いピン１３を含んでなる。
【００１７】
回転磁石１４は左右に区分されたＮ極及びＳ極を持ち、その中心にピン１３が挿入される孔１５が形成されている。
【００１８】
このような固定ピン１１は押しピンに似た形状を有し、接合板１２の直径と厚さはおよそ６ｍｍ、０．３ｍｍに形成し、ピン１３の高さはおよそ４ｍｍに形成し、材質はステンレススチール（ＳＵＳ３０４）またはＳＥＣＣ鉄鋼を無毒性メッキして構成することが好ましく、回転磁石１４は、その直径と高さをおよそ５．５ｍｍ、２ｍｍに形成し、磁力は３０００〜４０００ガウス程度に発生することが好ましいが、前記の数値は絶対的なものではなく多様に変形して実施可能である。
【００１９】
このような本発明は次のような構成を加えることでブロック１との結合力を高めることができる。
【００２０】
図２に示すように、固定ピン１１の接合板１２には、ドライバーのような工具が差し込まれるように工具挿入溝１８が形成され、ピン１３には雄ネジ部１６またはフック１７が形成される。
【００２１】
以上のように構成された本発明は、図３に示すように、固定ピン１１のピン１３に回転磁石１４が嵌合されるように孔１５をピン１３と一致させた後、ブロック１の嵌合孔２に固定ピン１１を無理に押し込めば、ピン１３の端部が木材または合成樹脂材のブロック１を突き刺すことで、固定ピン１１がブロック１から離脱しないように固定される。
【００２２】
また、工具挿入溝１８と雄ネジ部１６が形成された本発明によれば、工具挿入溝１８にドライバーのような工具を差し込んで回せば、ピン１７の雄ネジ部１６によってブロック１の嵌合孔２に螺合することで、固定ピン１１がブロック１から離脱しないように固定される。
【００２３】
このような本発明は、図４に示すように、ブロック１とブロック１を互いに接触させれば、対面する固定ピン１１内の回転磁石１４が互いに異なる極性の場合、回転磁石１４の間で引力が発生して、ブロック１とブロック１が互いに接合できるが、極性が同一である場合には斥力が発生する。
【００２４】
この際、ピン１３に嵌合された回転磁石１４のいずれか一つが斥力によって左右に回転して対面する回転磁石１４が反対極性に位置し、これにより引力が発生してブロック１とブロック１が互いに接合される。
【００２５】
このように、回転磁石１４はピン１３に嵌合されているため左右への回転だけが可能であり、図６のようにホルダー２１で構成された永久磁石２０とは異なり、上下に裏返しになったり壁面に付いたりすることがないので、正確に引力が発生することになる利点がある。
【００２６】
このような本発明は、ブロック玩具用回転磁石１４の間で発生する引力によって多数のブロック１を磁力で接合して多様な形状の構造物を作ることができる。
【００２７】
このような本発明は、回転磁石１４が不良であるか寿命が尽きて入れ替えなければならない場合、ドライバーのような工具を工具挿入溝１８に差し込んで逆回転させることで固定ピン１１を簡便にブロック１から離脱させることができるので、回転磁石１４の入れ替えが非常に簡便な利点がある。
【００２８】
また、図５に示すように、本発明の固定ピン１１のピン１３の端部を、前記のような一般的な尖ったピン１３または雄ネジ部１６の形態とする他にも、フック１７形状のような多様な形状に形成して固定ピン１１をブロック１に固定することができ、フック１７の形状の他の多様な形状に変形して実施することができ、これら変形例も本発明の技術範囲に属するものである。
【符号の説明】
【００２９】
１：ブロック                       ２：嵌合孔
１１：固定ピン                   １２：接合板
１３：ピン                       １４：回転磁石
１５：孔                         １６：雄ネジ部
１７：フック                     １８：工具挿入溝
２０：永久磁石                   ２１：ホルダー
【図１】
2010511471.tif 000003
【図２】
2010511471.tif 000004
【図３】
2010511471.tif 000005
【図４】
2010511471.tif 000006
【図５】
2010511471.tif 000007
【図６】
2010511471.tif 000008
【図７】
2010511471.tif 000009
【国際調査報告】
2010511471.tif 000010
2010511471.tif 000011